【手続補正書】
【提出日】平成16年1月27日(2004.1.27)
【手続補正１】
【補正対象書類名】明細書
【補正対象項目名】特許請求の範囲
【補正方法】変更
【補正の内容】
【特許請求の範囲】
【請求項１】
流体の流れ中を流れと同方向あるいは斜め方向に超音波の送受をする送信側にも受信側にも働く一対の超音波送受波器（２）（３）と、
受信側の送受波器（３又は２）が接続され、受信波を検知すると受信波検知信号を出力する受信波検知部（４）と、
第１送信指令信号を入力した時に送信側の送受波器（２又は３）を駆動し、その後は受信波検知部（４）からの受信波検知信号ごとに後述する第ｎ受信波検知信号が入力されるまで送信側の送受波器（２又は３）を駆動する送波器駆動部（６）と、
順方向の計測を行うときは上流側の送受波器（２）を送波器駆動部（６）に接続するとともに下流側の送受波器（３）を受信波検知部（４）に接続し、逆方向の計測を行うときは下流側の送受波器（３）を送波器駆動部（６）に接続するとともに上流側の送受波器（２）を受信波検知部（４）に接続する切替部（５，１０）と、
一定のタイミングで交互に切替部（５，１０）を切り替えて順方向の計測と逆方向の計測を切り替える送受切替信号を出力して交互に送受の切り替えを行いながら、その都度第１送信指令信号を出力するコントローラ部（７）と、
受信波検知部（４）からの受信波検知信号を受け、順方向の計測時と逆方向の計測時毎にｎ番目の受信波検知信号を検知して第ｎ受信波検知信号を出力する第１のカウンタ（８）と、
順方向計測時における第１送信指令信号から第ｎ受信波検知信号までの時間（Ｔ1 ）と、逆方向計測時における第１送信指令信号から第ｎ受信波検知信号までの時間（Ｔ2 ）を測定する第２のカウンタ（９）とを具備し、
第ｎ受信波検知信号を受けると第２のカウンタ（９）の測定値（Ｔ1 又はＴ2 ）を読み取り、時間逆数差法を用いて流速、流量等の演算をコントローラ部（７）で行う超音波流量計であって、
前記第２のカウンタ（９）を構成する時間計測部が基準クロックを計数する１０進カウンタ（９３〜９７）よりなり、
前記コントローラ部（７）がマイクロコンピュータで構成され、
第２のカウンタ（９）から読み取るべき測定値（Ｔ1 又はＴ2 ）より、遅れ時間に相当する一定値（ｎτ）を減じた値（Ｔ1 −ｎτ又はＴ2 −ｎτ）を最下位１桁とその他の上位桁に分けて、最下位１桁の数値をｂ、その他の上位桁の数値をａとして、該その他の上位桁の数値ａに相当するアドレスと該アドレスに対応するデータ１／（１０ａ）の集合からなるデータテーブル〔表１〕をマイクロコンピュータのメモリに格納し、
順方向又は逆方向の計測に当たって第２のカウンタ（９）から読み取った測定値（Ｔ1 又はＴ2 ）に対応する前記上位桁の数値（ａ）に相当するアドレスと、この上位桁の数値（ａ）に１を加算した数値（ａ＋１）に相当するアドレスより両アドレスに対応する時間逆数の数値１／（１０ａ）と１／｛１０（ａ＋１）｝に相当する二つの格納データを前記データテーブル〔表１〕から読み出し、これらのデータと前記測定値（Ｔ1 又はＴ2 ）の最下位１桁の数値（ｂ）とから時間逆数｛１／（Ｔ1 −ｎτ）又は１／（Ｔ2 −ｎτ）｝に相当する値１／（１０ａ＋ｂ）を直線近似によって導き、流速や流量の演算に使用するようにしたことを特徴とする超音波流量計。
【請求項２】
流体の流れ中を流れと同方向あるいは斜め方向に超音波の送受をする送信側にも受信側にも働く一対の超音波送受波器（２）（３）と、
受信側の送受波器（３又は２）が接続され、受信波を検知すると受信波検知信号を出力する受信波検知部（４）と、
第１送信指令信号を入力した時に送信側の送受波器（２又は３）を駆動し、その後は受信波検知部（４）からの受信波検知信号ごとに後述する第ｎ受信波検知信号が入力されるまで送信側の送受波器（２又は３）を駆動する送波器駆動部（６）と、
順方向の計測を行うときは上流側の送受波器（２）を送波器駆動部（６）に接続するとともに下流側の送受波器（３）を受信波検知部（４）に接続し、逆方向の計測を行うときは下流側の送受波器（３）を送波器駆動部（６）に接続するとともに上流側の送受波器（２）を受信波検知部（４）に接続する切替部（５，１０）と、
一定のタイミングで交互に切替部（５，１０）を切り替えて順方向の計測と逆方向の計測を切り替える送受切替信号を出力して交互に送受の切り替えを行いながら、その都度第１送信指令信号を出力するコントローラ部（７）と、
受信波検知部（４）がらの受信波検知信号を受け、順方向の計測時と逆方向の計測時毎にｎ番目の受信波検知信号を検知して第ｎ受信波検知信号を出力する第１のカウンタ（８）と、
順方向計測時における第１送信指令信号から第ｎ受信波検知信号までの時間（Ｔ1 ）と、逆方向計測時における第１送信指令信号から第ｎ受信波検知信号までの時間（Ｔ2 ）を測定する第２のカウンタ（９）とを具備し、
第ｎ受信波検知信号を受けると第２のカウンタ（９）の測定値（Ｔ1 又はＴ2 ）を読み取り、時間逆数差法を用いて流速、流量等の演算をコントローラ部（７）で行う超音波流量計であって、
前記第２のカウンタ（９）を構成する時間計測部が基準クロックを計数する１０進カウンタ（９３〜９７）よりなり、
前記コントローラ部（７）がマイクロコンピュータで構成され、
第２のカウンタ（９）から読み取るべき測定値（Ｔ1 又はＴ2 ）を最下位１桁の数値（Ｂ）とその他の上位桁の数値（Ａ）に分けて、該その他の上位桁の数値（Ａ）に相当するアドレスと、該アドレスに対応する前記第２のカウンタ（９）から読み取った測定値（Ｔ1 又はＴ2 ）より遅れ時間に相当する一定値（ｎτ）を減じた時間（Ｔ1 −ｎτ又はＴ2 −ｎτ）の逆数｛１／（Ｔ1 −ｎτ）又は１／（Ｔ2 −ｎτ）｝に対応するデータ１／（１０Ａ−ｎτ）との集合からなるデータテーブル（表２）をマイクロコンピュータのメモリに格納し、
順方向又は逆方向の計測に当たって第２のカウンタ（９）から読み取った測定値（Ｔ1 又はＴ2 ）に対応する前記上位桁の数値（Ａ）に相当するアドレスと、この上位桁（Ａ）に１を加算した数値（Ａ＋１）に相当するアドレスより両アドレスに対応する二つの時間逆数の数値１／（１０Ａ−ｎτ）と１／（１０（Ａ＋１）−ｎτ）に相当する二つの格納データを前記データテーブル（表２）から読み出し、これらのデータと前記測定値（Ｔ1 又はＴ2 ）の最下位１桁の数値（Ｂ）とから時間逆数｛１／（Ｔ1 −ｎτ）又は１／（Ｔ2 −ｎτ）｝に相当する値１／（１０Ａ＋Ｂ−ｎτ）を直線近似によって導き、流速や流量の演算に使用するようにしたことを特徴とする超音波流量計。
【請求項３】
流体の流れ中を流れと同方向あるいは斜め方向に超音波の送受をする送信側にも受信側にも働く一対の超音波送受波器（２）（３）と、
受信側の送受波器（３又は２）が接続され、受信波を検知すると受信波検知信号を出力する受信波検知部（４）と、
第１送信指令信号を入力した時に送信側の送受波器（２又は３）を駆動し、その後は受信波検知部（４）からの受信波検知信号ごとに後述する第ｎ受信波検知信号が入力されるまで送信側の送受波器（２又は３）を駆動する送波器駆動部（６）と、
順方向の計測を行うときは上流側の送受波器（２）を送波器駆動部（６）に接続するとともに下流側の送受波器（３）を受信波検知部（４）に接続し、逆方向の計測を行うときは下流側の送受波器（３）を送波器駆動部（６）に接続するとともに上流側の送受波器（２）を受信波検知部（４）に接続する切替部（５，１０）と、
一定のタイミングで交互に切替部（５，１０）を切り替えて順方向の計測と逆方向の計測を切り替える送受切替信号を出力して交互に送受の切り替えを行いながら、その都度第１送信指令信号を出力するコントローラ部（７）と、
受信波検知部（４）がらの受信波検知信号を受け、順方向の計測時と逆方向の計測時毎にｎ番目の受信波検知信号を検知して第ｎ受信波検知信号を出力する第１のカウンタ（８）と、
順方向計測時における第１送信指令信号から第ｎ受信波検知信号までの時間（Ｔ1 ）と、逆方向計測時における第１送信指令信号から第ｎ受信波検知信号までの時間（Ｔ2 ）を測定する第２のカウンタ（９）とを具備し、
第ｎ受信波検知信号を受けると第２のカウンタ（９）の測定値（Ｔ1 又はＴ2 ）を読み取り、時間逆数差法を用いて流速、流量等の演算をコントローラ部（７）で行う超音波流量計であって、
前記第２のカウンタ（９）を構成する時間計測部が基準クロックを計数するカウンタで、その最下位が１桁の１０進カウンタ（９３）、それより上位が２進カウンタ（９８）よりなり、
前記コントローラ部（７）がマイクロコンビュータで構成され、
該マイクロコンピュータが第２のカウンタ（９）の測定値（Ｔ1 又はＴ2 ）として読み取るべき数値を、その上位桁を２進数（ａ′）で、最下位桁を１０進数（ｂ）で読み取り、
別途、前記２進数の上位桁（ａ′）を１０進変換した値（ｃ）の逆数に１／１０を乗じたデータ１／（１０ｃ）を上位桁（ａ′）をアドレスとするデータテーブルとして前記マイクロコンピュータのメモリに格納し、
上位桁（ａ′）に相当するアドレスと、これに１を加算した数値（ａ′＋１）に相当するアドレスより両アドレスに対応する時間逆数の数値１／（１０ｃ）と１／｛１０（ｃ＋１）｝に相当する二つのデータを読み出し、これらのデータと前記下位桁の数値（ｂ）とから直線近似によって時間逆数｛１／（Ｔ1 −ｎτ）又は１／（Ｔ2 −ｎτ）｝に相当する値１／（１０ｃ＋ｂ）を導き、以後の流速又は流量等の演算に使用するようにしたことを特徴とする超音波流量計。
【請求項４】
データテーブルに格納するデータが、請求項１，２又は３に記載されたデータ｛１／（１０ａ），１／（１０Ａ−ｎτ）又は１／（１０ｃ）｝から一定値を減じた値或いは一定値を乗じた値をデータとしてデータテーブルを構成したことを特徴とする請求項１，２又は３記載の超音波流量計。
【請求項５】
流体の流れ中を流れと同方向あるいは斜め方向に超音波の送受をする送信側にも受信側にも働く一対の超音波送受波器（２）（３）と、
受信側の送受波器（３又は２）が接続され、受信波を検知すると受信波検知信号を出力する受信波検知部（４）と、
第１送信指令信号を入力した時に送信側の送受波器（２又は３）を駆動し、その後は受信波検知部（４）からの受信波検知信号ごとに後述する第ｎ受信波検知信号が入力されるまで送信側の送受波器（２又は３）を駆動する送波器駆動部（６）と、
順方向の計測を行うときは上流側の送受波器（２）を送波器駆動部（６）に接続するとともに下流側の送受波器（３）を受信波検知部（４）に接続し、逆方向の計測を行うときは下流側の送受波器（３）を送波器駆動部（６）に接続するとともに上流側の送受波器（２）を受信波検知部（４）に接続する切替部（５，１０）と、
一定のタイミングで交互に切替部（５，１０）を切り替えて順方向の計測と逆方向の計測を切り替える送受切替信号を出力して交互に送受の切り替えを行いながら、その都度第１送信指令信号を出力するコントローラ部（７）と、
受信波検知部（４）からの受信波検知信号を受け、順方向の計測時と逆方向の計測時毎にｎ番目の受信波検知信号を検知して第ｎ受信波検知信号を出力する第１のカウンタ（８）と、
順方向計測時における第１送信指令信号から第ｎ受信波検知信号までの時間（Ｔ1 ）と、逆方向計測時における第１送信指令信号から第ｎ受信波検知信号までの時間（Ｔ2 ）を測定する第２のカウンタ（９）とを具備し、
第ｎ受信波検知信号を受けると第２のカウンタ（９）の測定値（Ｔ1 又はＴ2 ）を読み取り、時間逆数差法を用いて流速、流量等の演算をコントローラ部（７）で行う超音波流量計であって、
前記第２のカウンタ（９）を構成する時間計測部が基準クロックを計数する１０進カウンタ（９３〜９７）よりなり、
前記コントローラ部（７）がマイクロコンピュータで構成され、
第２のカウンタ（９）から読み取るべき測定値（Ｔ1 又はＴ2 ）より、遅れ時間に相当する一定値（ｎτ）を減じた値（Ｔ1 −ｎτ又はＴ2 −ｎτ）を下位桁とその他の上位桁に分けて、下位桁の数値をｂ、その他の上位桁の数値をａとして、該その他の上位桁の数値ａに相当するアドレスと該アドレスの逆数に対応するデータの集合からなるデータテーブルをマイクロコンピュータのメモリに格納し、
順方向又は逆方向の計測に当たって第２のカウンタ（９）から読み取った測定値（Ｔ1 又はＴ2 ）に対応する前記上位桁の数値（ａ）に相当するアドレスと、この上位桁の数値（ａ）に１を加算した数値（ａ＋１）に相当するアドレスより両アドレスに対応する時間逆数の二つの格納データを前記データテーブルから読み出し、これらのデータと前記測定値（Ｔ1 又はＴ2 ）の下位桁の数値（ｂ）とから時間逆数｛１／（Ｔ1 −ｎτ）又は１／（Ｔ2 −ｎτ）｝を直線近似によって導き、流速や流量の演算に使用するようにしたことを特徴とする超音波流量計。
【請求項６】
流体の流れ中を流れと同方向あるいは斜め方向に超音波の送受をする送信側にも受信側にも働く一対の超音波送受波器（２）（３）と、
受信側の送受波器（３又は２）が接続され、受信波を検知すると受信波検知信号を出力する受信波検知部（４）と、
第１送信指令信号を入力した時に送信側の送受波器（２又は３）を駆動し、その後は受信波検知部（４）からの受信波検知信号ごとに後述する第ｎ受信波検知信号が入力されるまで送信側の送受波器（２又は３）を駆動する送波器駆動部（６）と、
順方向の計測を行うときは上流側の送受波器（２）を送波器駆動部（６）に接続するとともに下流側の送受波器（３）を受信波検知部（４）に接続し、逆方向の計測を行うときは下流側の送受波器（３）を送波器駆動部（６）に接続するとともに上流側の送受波器（２）を受信波検知部（４）に接続する切替部（５，１０）と、
一定のタイミングで交互に切替部（５，１０）を切り替えて順方向の計測と逆方向の計測を切り替える送受切替信号を出力して交互に送受の切り替えを行いながら、その都度第１送信指令信号を出力するコントローラ部（７）と、
受信波検知部（４）がらの受信波検知信号を受け、順方向の計測時と逆方向の計測時毎にｎ番目の受信波検知信号を検知して第ｎ受信波検知信号を出力する第１のカウンタ（８）と、
順方向計測時における第１送信指令信号から第ｎ受信波検知信号までの時間（Ｔ1 ）と、逆方向計測時における第１送信指令信号から第ｎ受信波検知信号までの時間（Ｔ2 ）を測定する第２のカウンタ（９）とを具備し、
第ｎ受信波検知信号を受けると第２のカウンタ（９）の測定値（Ｔ1 又はＴ2 ）を読み取り、時間逆数差法を用いて流速、流量等の演算をコントローラ部（７）で行う超音波流量計であって、
前記第２のカウンタ（９）を構成する時間計測部が基準クロックを計数するカウンタで、その最下位が１桁の１０進カウンタ（９３）、それより上位が２進カウンタ（９８）よりなり、
前記コントローラ部（７）がマイクロコンビュータで構成され、
該マイクロコンピュータが第２のカウンタ（９）の測定値（Ｔ1 又はＴ2 ）として読み取るべき数値を、その上位桁を２進数（ａ′）で、最下位桁を１０進数（ｂ）で読み取り、
別途、前記２進数の上位桁（ａ′）を１０進変換した値（ｃ）の逆数データを上位桁（ａ′）をアドレスとするデータテーブルとして前記マイクロコンピュータのメモリに格納し、
上位桁（ａ′）に相当するアドレスと、これに１を加算した数値に相当するアドレスより両アドレスに対応する時間逆数の二つのデータを読み出し、これらのデータと下位桁の数値（ｂ）とから直線近似によって時間逆数｛１／（Ｔ1 −ｎτ）又は１／（Ｔ2 −ｎτ）｝を導き、以後の流速又は流量等の演算に使用するようにしたことを特徴とする超音波流量計。
【請求項７】
データテーブルに格納するデータが、請求項５又は６に記載されたデータから一定値を減じた値或いは一定値を乗じた値をデータとしてデータテーブルを構成したことを特徴とする請求項５又は６記載の超音波流量計。
【手続補正２】
【補正対象書類名】明細書
【補正対象項目名】００２２
【補正方法】変更
【補正の内容】
【００２２】
そして、請求項４の発明は、請求項１，２又は３の超音波流量計において、
データテーブルに格納するデータが、請求項１，２又は３に記載されたデータ｛１／（１０ａ），１／（１０Ａ−ｎτ）又は１／（１０ｃ）｝から一定値を減じた値或いは一定値を乗じた値をデータとしてデータテーブルを構成したことを特徴とするものである。
請求項５の発明は、流体の流れ中を流れと同方向あるいは斜め方向に超音波の送受をする送信側にも受信側にも働く一対の超音波送受波器（２）（３）と、
受信側の送受波器（３又は２）が接続され、受信波を検知すると受信波検知信号を出力する受信波検知部（４）と、
第１送信指令信号を入力した時に送信側の送受波器（２又は３）を駆動し、その後は受信波検知部（４）からの受信波検知信号ごとに後述する第ｎ受信波検知信号が入力されるまで送信側の送受波器（２又は３）を駆動する送波器駆動部（６）と、
順方向の計測を行うときは上流側の送受波器（２）を送波器駆動部（６）に接続するとともに下流側の送受波器（３）を受信波検知部（４）に接続し、逆方向の計測を行うときは下流側の送受波器（３）を送波器駆動部（６）に接続するとともに上流側の送受波器（２）を受信波検知部（４）に接続する切替部（５，１０）と、
一定のタイミングで交互に切替部（５，１０）を切り替えて順方向の計測と逆方向の計測を切り替える送受切替信号を出力して交互に送受の切り替えを行いながら、その都度第１送信指令信号を出力するコントローラ部（７）と、
受信波検知部（４）からの受信波検知信号を受け、順方向の計測時と逆方向の計測時毎にｎ番目の受信波検知信号を検知して第ｎ受信波検知信号を出力する第１のカウンタ（８）と、
順方向計測時における第１送信指令信号から第ｎ受信波検知信号までの時間（Ｔ1 ）と、逆方向計測時における第１送信指令信号から第ｎ受信波検知信号までの時間（Ｔ2 ）を測定する第２のカウンタ（９）とを具備し、
第ｎ受信波検知信号を受けると第２のカウンタ（９）の測定値（Ｔ1 又はＴ2 ）を読み取り、時間逆数差法を用いて流速、流量等の演算をコントローラ部（７）で行う超音波流量計であって、
前記第２のカウンタ（９）を構成する時間計測部が基準クロックを計数する１０進カウンタ（９３〜９７）よりなり、
前記コントローラ部（７）がマイクロコンピュータで構成され、
第２のカウンタ（９）から読み取るべき測定値（Ｔ1 又はＴ2 ）より、遅れ時間に相当する一定値（ｎτ）を減じた値（Ｔ1 −ｎτ又はＴ2 −ｎτ）を下位桁とその他の上位桁に分けて、下位桁の数値をｂ、その他の上位桁の数値をａとして、該その他の上位桁の数値ａに相当するアドレスと該アドレスの逆数に対応するデータの集合からなるデータテーブルをマイクロコンピュータのメモリに格納し、
順方向又は逆方向の計測に当たって第２のカウンタ（９）から読み取った測定値（Ｔ1 又はＴ2 ）に対応する前記上位桁の数値（ａ）に相当するアドレスと、この上位桁の数値（ａ）に１を加算した数値（ａ＋１）に相当するアドレスより両アドレスに対応する時間逆数の二つの格納データを前記データテーブルから読み出し、これらのデータと前記測定値（Ｔ1 又はＴ2 ）の下位桁の数値（ｂ）とから時間逆数｛１／（Ｔ1 −ｎτ）又は１／（Ｔ2 −ｎτ）｝を直線近似によって導き、流速や流量の演算に使用するようにしたことを特徴とする超音波流量計である。
請求項６の発明は、流体の流れ中を流れと同方向あるいは斜め方向に超音波の送受をする送信側にも受信側にも働く一対の超音波送受波器（２）（３）と、
受信側の送受波器（３又は２）が接続され、受信波を検知すると受信波検知信号を出力する受信波検知部（４）と、
第１送信指令信号を入力した時に送信側の送受波器（２又は３）を駆動し、その後は受信波検知部（４）からの受信波検知信号ごとに後述する第ｎ受信波検知信号が入力されるまで送信側の送受波器（２又は３）を駆動する送波器駆動部（６）と、
順方向の計測を行うときは上流側の送受波器（２）を送波器駆動部（６）に接続するとともに下流側の送受波器（３）を受信波検知部（４）に接続し、逆方向の計測を行うときは下流側の送受波器（３）を送波器駆動部（６）に接続するとともに上流側の送受波器（２）を受信波検知部（４）に接続する切替部（５，１０）と、
一定のタイミングで交互に切替部（５，１０）を切り替えて順方向の計測と逆方向の計測を切り替える送受切替信号を出力して交互に送受の切り替えを行いながら、その都度第１送信指令信号を出力するコントローラ部（７）と、
受信波検知部（４）がらの受信波検知信号を受け、順方向の計測時と逆方向の計測時毎にｎ番目の受信波検知信号を検知して第ｎ受信波検知信号を出力する第１のカウンタ（８）と、
順方向計測時における第１送信指令信号から第ｎ受信波検知信号までの時間（Ｔ1 ）と、逆方向計測時における第１送信指令信号から第ｎ受信波検知信号までの時間（Ｔ2 ）を測定する第２のカウンタ（９）とを具備し、
第ｎ受信波検知信号を受けると第２のカウンタ（９）の測定値（Ｔ1 又はＴ2 ）を読み取り、時間逆数差法を用いて流速、流量等の演算をコントローラ部（７）で行う超音波流量計であって、
前記第２のカウンタ（９）を構成する時間計測部が基準クロックを計数するカウンタで、その最下位が１桁の１０進カウンタ（９３）、それより上位が２進カウンタ（９８）よりなり、
前記コントローラ部（７）がマイクロコンビュータで構成され、
該マイクロコンピュータが第２のカウンタ（９）の測定値（Ｔ1 又はＴ2 ）として読み取るべき数値を、その上位桁を２進数（ａ′）で、最下位桁を１０進数（ｂ）で読み取り、
別途、前記２進数の上位桁（ａ′）を１０進変換した値（ｃ）の逆数データを上位桁（ａ′）をアドレスとするデータテーブルとして前記マイクロコンピュータのメモリに格納し、
上位桁（ａ′）に相当するアドレスと、これに１を加算した数値に相当するアドレスより両アドレスに対応する時間逆数の二つのデータを読み出し、これらのデータと下位桁の数値（ｂ）とから直線近似によって時間逆数｛１／（Ｔ1 −ｎτ）又は１／（Ｔ2 −ｎτ）｝を導き、以後の流速又は流量等の演算に使用するようにしたことを特徴とする超音波流量計である。
請求項７の発明は、請求項５又は６の超音波流量計において、データテーブルに格納するデータが、請求項５又は６に記載されたデータから一定値を減じた値或いは一定値を乗じた値をデータとしてデータテーブルを構成したことを特徴とするものである。
【手続補正３】
【補正対象書類名】明細書
【補正対象項目名】００４２
【補正方法】変更
【補正の内容】
【００４２】
即ち、１５００１，１５００２，…，４４９９９，４５０００からなる３００００個の計数値の集合を構成する各計数値、つまり第２のカウンタ９から読み取るべき測定値Ｔ1 −ｎτ，Ｔ2 −ｎτを最下位１桁とその他の上位桁に分けて、最下位１桁の数値をｂ、その他の上位桁の数値をａとして、該その他の上位桁の数値ａに相当するアドレスと該アドレスの逆数に対応するデータ１／（１０ａ）の集合からなるデータテーブルをマイクロコンピュータのメモリに格納しておく。


【手続補正４】
【補正対象書類名】図面
【補正対象項目名】図２
【補正方法】変更
【補正の内容】
【図２】
1997243422.tif 000001